(57)【要約】【課題】外部アンテナを設けるとともに、必要に応じて受信信号が分配器または分波器を通過しないように切り替え制御することにより、受信信号の減衰を防ぐこと。【解決手段】ＵＨＦ用チューナ１０７は、受信信号よりＵＨＦ帯の信号を検出して復調し、ＵＨＦ帯の信号の受信レベルを測定する。ＶＨＦ用チューナ１０８は、受信信号よりＶＨＦ帯の信号を検出して復調し、ＶＨＦ帯の信号の受信レベルを測定する。制御部１０９は、ＵＨＦ用チューナ１０７で検出した受信レベルとＶＨＦ用チューナ１０８で検出した受信レベルとの少なくとも一方に基づいて、内部アンテナ１０１または外部アンテナ１０２で受信した信号を、分配器１０５を経由させてＵＨＦ用チューナ１０７及びＶＨＦ用チューナ１０８に入力させる経路と、分配器１０５を経由せずにＵＨＦ用チューナ１０７及びＶＨＦチューナ１０８の何れか一方に入力させる経路とに切り替える制御を行う。【選択図】図１
2013078029.tif 000002
【特許請求の範囲】
【請求項１】
ＵＨＦ帯の信号及びＶＨＦ帯の信号を受信可能な通信端末装置であって、
内部アンテナと、
外部アンテナと、
前記内部アンテナまたは前記外部アンテナで受信した信号を分配する分配手段と、
前記内部アンテナまたは前記外部アンテナで受信した信号より前記ＵＨＦ帯の信号を検出して復調し、前記ＵＨＦ帯の信号の第１の受信レベルを測定するＵＨＦチューナと、
前記内部アンテナまたは前記外部アンテナで受信した信号より前記ＶＨＦ帯の信号を検出して復調し、前記ＶＨＦ帯の信号の第２の受信レベルを測定するＶＨＦチューナと、
前記第１の受信レベルと前記第２の受信レベルとの少なくとも一方に基づいて、前記内部アンテナまたは前記外部アンテナで受信した信号を、前記分配手段を経由させて前記ＵＨＦチューナ及び前記ＶＨＦチューナに入力させる第１の経路と、前記分配手段を経由せずに前記ＵＨＦチューナ及び前記ＶＨＦチューナの何れか一方に入力させる第２の経路とに切り替える制御を行う制御手段と、
を具備する通信端末装置。
【請求項２】
前記制御手段は、
前記ＵＨＦチューナにより前記ＵＨＦ帯の信号を検出し、かつ前記ＶＨＦチューナにより前記ＶＨＦ帯の信号を検出しない場合に、前記内部アンテナと前記外部アンテとで受信した前記ＵＨＦ帯の信号のうち、前記第１の受信レベルの大きい方を前記第２の経路により前記ＵＨＦチューナに入力するように切り替える制御を行う
請求項１記載の通信端末装置。
【請求項３】
前記制御手段は、
前記ＶＨＦチューナにより前記ＶＨＦ帯の信号を検出し、かつ前記ＵＨＦチューナにより前記ＵＨＦ帯の信号を検出しない場合に、前記内部アンテナと前記外部アンテとで受信した前記ＶＨＦ帯の信号のうち、前記第２の受信レベルの大きい方を前記第２の経路により前記ＶＨＦチューナに入力するように切り替える制御を行う
請求項１記載の通信端末装置。
【請求項４】
前記制御手段は、
前記ＵＨＦチューナで前記ＵＨＦ帯の信号を検出し、かつ前記ＶＨＦチューナで前記ＶＨＦ帯の信号を検出した際に、前記第１の受信レベル及び前記第２の受信レベルに基づいて、前記内部アンテナで受信した信号を前記第１の経路で前記ＵＨＦチューナに入力し、前記外部アンテナで受信した信号を前記第２の経路で前記ＶＨＦチューナに入力するように切り替える制御を行う
請求項１記載の通信端末装置。
【請求項５】
前記制御手段は、
前記ＵＨＦチューナで前記ＵＨＦ帯の信号を検出し、かつ前記ＶＨＦチューナで前記ＶＨＦ帯の信号を検出した際に、前記第１の受信レベル及び前記第２の受信レベルに基づいて、前記外部アンテナで受信した信号を前記第１の経路で前記ＵＨＦチューナに入力し、前記内部アンテナで受信した信号を前記第２の経路で前記ＶＨＦチューナに入力するように切り替える制御を行う
請求項１記載の通信端末装置。
【請求項６】
ＵＨＦ帯の信号及びＶＨＦ帯の信号を受信可能な通信端末装置における受信方法であって、
内部アンテナまたは外部アンテナで受信した信号を分配するステップと、
前記内部アンテナまたは前記外部アンテナで受信した信号より前記ＵＨＦ帯の信号を検出して復調し、前記ＵＨＦ帯の信号の第１の受信レベルを測定するステップと、
前記内部アンテナまたは前記外部アンテナで受信した信号より前記ＶＨＦ帯の信号を検出して復調し、前記ＶＨＦ帯の信号の第２の受信レベルを測定するステップと、
前記第１の受信レベルと前記第２の受信レベルとの少なくとも一方に基づいて、前記内部アンテナまたは前記外部アンテナで受信した信号を、前記分配させた後に前記検出させる第１の経路と、前記分配させずに前記検出させる第２の経路とに切り替える制御を行うステップと、
を具備する受信方法。
【発明の詳細な説明】
【技術分野】
【０００１】
本発明は、複数の異なる周波数の信号を受信可能な通信端末装置及び受信方法に関する。
【背景技術】
【０００２】
２０１２年以降に、携帯端末向けのＩＳＤＢ−Ｔｍｍ（Integrated Services Digital Broadcasting Terrestrial Mobile Multi-Media Broadcasting）放送サービスの開始が予定されている。ＩＳＤＢ−Ｔｍｍ放送サービスは、ＶＨＦ帯を用いて行われる。このＩＳＤＢ−Ｔｍｍ放送サービスの開始にあたり、携帯端末では、従来のワンセグ放送のＵＨＦ帯とＩＳＤＢ−Ｔｍｍ放送のＶＨＦ帯との双方を受信する必要が生じる（例えば、特許文献１）。特許文献１では、携帯端末には、ＩＳＤＢ−Ｔｍｍ放送受信専用のアンテナを搭載するための場所的な余裕がないことにより、ワンセグ放送とＩＳＤＢ−Ｔｍｍ放送との双方を受信可能な１本のアンテナが設けられている。
【先行技術文献】
【特許文献】
【０００３】
【特許文献１】特開２０１０−２２６５７９号公報
【発明の概要】
【発明が解決しようとする課題】
【０００４】
しかしながら、１本のアンテナでワンセグ放送とＩＳＤＢ−Ｔｍｍ放送との双方を受信する場合には、一般に、アンテナで受信した信号をＶＨＦ用のチューナ及びＵＨＦ用のチューナに分配するために、分配器または分波器を設ける必要が生じる。この結果、分配器または分波器を通過する際に受信信号が減衰するという問題がある。
【０００５】
本発明の目的は、外部アンテナを設けるとともに、必要に応じて受信信号が分配器または分波器を通過しないように切り替え制御することにより、受信信号の減衰を防ぐことができる通信端末装置及び受信方法を提供することである。
【課題を解決するための手段】
【０００６】
本発明の通信端末装置は、ＵＨＦ帯の信号及びＶＨＦ帯の信号を受信可能な通信端末装置であって、内部アンテナと、外部アンテナと、前記内部アンテナまたは前記外部アンテナで受信した信号を分配する分配手段と、前記内部アンテナまたは前記外部アンテナで受信した信号より前記ＵＨＦ帯の信号を検出して復調し、前記ＵＨＦ帯の信号の第１の受信レベルを測定するＵＨＦチューナと、前記内部アンテナまたは前記外部アンテナで受信した信号より前記ＶＨＦ帯の信号を検出して復調し、前記ＶＨＦ帯の信号の第２の受信レベルを測定するＶＨＦチューナと、前記第１の受信レベルと前記第２の受信レベルとの少なくとも一方に基づいて、前記内部アンテナまたは前記外部アンテナで受信した信号を、前記分配手段を経由させて前記ＵＨＦチューナ及び前記ＶＨＦチューナに入力させる第１の経路と、前記分配手段を経由せずに前記ＵＨＦチューナ及び前記ＶＨＦチューナの何れか一方に入力させる第２の経路とに切り替える制御を行う制御手段と、を具備する構成を採る。
【０００７】
本発明の受信方法は、ＵＨＦ帯の信号及びＶＨＦ帯の信号を受信可能な通信端末装置における受信方法であって、内部アンテナまたは外部アンテナで受信した信号を分配するステップと、前記内部アンテナまたは前記外部アンテナで受信した信号より前記ＵＨＦ帯の信号を検出して復調し、前記ＵＨＦ帯の信号の第１の受信レベルを測定するステップと、前記内部アンテナまたは前記外部アンテナで受信した信号より前記ＶＨＦ帯の信号を検出して復調し、前記ＶＨＦ帯の信号の第２の受信レベルを測定するステップと、前記第１の受信レベルと前記第２の受信レベルとの少なくとも一方に基づいて、前記内部アンテナまたは前記外部アンテナで受信した信号を、前記分配させた後に前記検出させる第１の経路と、前記分配させずに前記検出させる第２の経路とに切り替える制御を行うステップと、を具備するようにした。
【発明の効果】
【０００８】
本発明によれば、外部アンテナを設けるとともに、必要に応じて受信信号が分配器または分波器を通過しないように切り替え制御することにより、受信信号の減衰を防ぐことができる。
【図面の簡単な説明】
【０００９】
【図１】本発明の実施の形態に係る通信端末装置の構成を示すブロック図
【図２】本発明の実施の形態に係る通信端末装置の動作１を示すフロー図
【図３】本発明の実施の形態に係る通信端末装置の動作２を示すフロー図
【図４】本発明の実施の形態におけるスイッチパターンを示す図
【図５】本発明の実施の形態における動作１及び動作２におけるアンテナ直下のスイッチの状態を示す図
【図６】本発明の実施の形態における動作１及び動作２におけるＵＨＦチューナ及びＶＨＦチューナへの入力を切り替えるスイッチの状態を示す図
【発明を実施するための形態】
【００１０】
以下、本発明の実施の形態について、図面を参照して詳細に説明する。
【００１１】
（実施の形態）
＜通信端末装置の構成＞
図１は、本発明の実施の形態に係る通信端末装置１００の構成を示すブロック図である。
【００１２】
内部アンテナ１０１は、例えばホイップアンテナであり、通信端末装置１００の内部に収納されるアンテナである。内部アンテナ１０１は、受信した信号をスイッチ１０４の端子１０４ａに出力する。内部アンテナ１０１は、ＵＨＦ帯とＶＨＦ帯との２種類の周波数の信号を受信可能なアンテナである。
【００１３】
外部アンテナ１０２は、通信端末装置１００の外部に着脱自在に取り付けられる。外部アンテナ１０２は、受信した信号をコネクタ１０３に出力する。外部アンテナ１０２は、ＵＨＦ帯とＶＨＦ帯との２種類の周波数の信号を受信可能なアンテナである。
【００１４】
コネクタ１０３は、通信端末装置１００に対して外部アンテナ１０２を着脱自在にするために設けられており、外部アンテナ１０２とスイッチ１０４の端子１０４ｃとを接続する。コネクタ１０３は、外部アンテナ１０２から入力した受信信号をスイッチ１０４の端子１０４ｃに出力する。コネクタ１０３は、外部アンテナ１０２が接続されたことを検出し、検出結果を制御部１０９に出力する。
【００１５】
スイッチ１０４は、内部アンテナ１０１に接続している端子１０４ａと、分配器１０５に接続している端子１０４ｂと、コネクタ１０３に接続している端子１０４ｃと、スイッチ１０６の端子１０６ａに接続している端子１０４ｄとを有する。スイッチ１０４は、制御部１０９の制御に従って、端子１０４ａと端子１０４ｂとを接続し、端子１０４ａと端子１０４ｄとを接続し、端子１０４ｃと端子１０４ｂとを接続し、または端子１０４ｃと端子１０４ｄとを接続する。
【００１６】
分配器１０５は、スイッチ１０４の端子１０４ｂより入力した受信信号を２系統の信号に分配する。分配器１０５は、分配した２系統の信号のうち、一方をＵＨＦ用チューナ１０７に出力し、他方をＶＨＦ用チューナ１０８に出力する。
【００１７】
スイッチ１０６は、スイッチ１０４の端子１０４ｄと接続している端子１０６ａと、ＵＨＦ用チューナ１０７の入力端子に接続している端子１０６ｂと、ＶＨＦ用チューナ１０８の入力端子に接続している端子１０６ｃとを有する。スイッチ１０６は、制御部１０９の制御に従って、端子１０６ａと端子１０６ｂとを接続し、または端子１０６ａと端子１０６ｃとを接続する。
【００１８】
ＵＨＦ用チューナ１０７は、分配器１０５またはスイッチ１０６の端子１０６ｂから入力した受信信号よりＵＨＦ帯の信号を検出して復調する。ＵＨＦ用チューナ１０７は、ＵＨＦ帯の信号の受信レベルを検出し、検出結果を制御部１０９に出力する。
【００１９】
ＶＨＦ用チューナ１０８は、分配器１０５またはスイッチ１０６の端子１０６ｃから入力した受信信号に含まれるＶＨＦ帯の信号を検出して復調する。ＶＨＦ用チューナ１０８は、ＶＨＦ帯の信号の受信レベルを検出し、検出結果を制御部１０９に出力する。
【００２０】
制御部１０９は、コネクタ１０３から入力した検出結果、及びＵＨＦ用チューナ１０７またはＶＨＦ用チューナ１０８から入力した検出結果に基づいて、スイッチ１０４またはスイッチ１０６の切り替えを制御する。なお、制御部１０９におけるスイッチ１０４及びスイッチ１０６の切り替えの制御の詳細については後述する。
【００２１】
＜通信端末装置の動作１：ＵＨＦ帯とＶＨＦ帯との何れか一方のみを受信＞
図２は、通信端末装置１００の動作１を示すフロー図である。図２は、通信端末装置１００が、ＵＨＦ帯とＶＨＦ帯との何れか一方のみを受信する際の動作を示すものである。
【００２２】
図２において、ステップＳＴ２０２〜ステップＳＴ２０７の処理は、通信端末装置１００がＶＨＦ帯の信号のみを受信する際の動作を示す。また、ステップＳＴ２０８〜ステップＳＴ２１３の処理は、通信端末装置１００がＵＨＦ帯の信号のみを受信する際の動作を示す。各動作の詳細について、以下に説明する。
【００２３】
まず、制御部１０９は、ＵＨＦ用チューナ１０７またはＶＨＦ用チューナ１０８から入力した検出結果より、ＶＨＦ帯の動作を行うか否かを判定する（ステップＳＴ２０１）。制御部１０９は、例えば、ＶＨＦ用チューナ１０８から検出結果が入力し、かつＵＨＦ用チューナ１０７から検出結果が入力しない場合にＶＨＦ帯の動作を行うものと判定する。また、制御部１０９は、ＵＨＦ用チューナ１０７から検出結果が入力し、かつＶＨＦ用チューナ１０８から検出結果が入力しない場合にＵＨＦ帯の動作を行うものと判定する。
【００２４】
ＶＨＦ帯の動作を行うものと判定した場合（ステップＳＴ２０１：ｙｅｓ）には、制御部１０９は、スイッチ１０６の端子１０６ａと端子１０６ｃとを接続するように切り替える制御を行う（ステップＳＴ２０２）。
【００２５】
次に、制御部１０９は、外部アンテナ１０２が接続された検出結果がコネクタ１０３から入力したか否かを判定する（ステップＳＴ２０３）。
【００２６】
外部アンテナ１０２が接続された検出結果がコネクタ１０３から入力しない場合（ステップＳＴ２０３：ｎｏ）には、制御部１０９は、スイッチ１０４の端子１０４ａと端子１０４ｄとを接続するように切り替える制御を行う（ステップＳＴ２０４）。
【００２７】
一方、外部アンテナ１０２が接続された検出結果がコネクタ１０３から入力した場合（ステップＳＴ２０３：ｙｅｓ）には、制御部１０９は、内部アンテナ１０１で受信したＶＨＦ帯の信号の受信レベルの検出結果、及び外部アンテナ１０２で受信したＶＨＦ帯の信号の受信レベルの検出結果をＶＨＦ用チューナ１０８から取得して、取得した検出結果を比較する（ステップＳＴ２０５）。
【００２８】
次に、制御部１０９は、比較の結果、外部アンテナ１０２の受信レベルが内部アンテナ１０１の受信レベルよりも大きいか否かを判定する（ステップＳＴ２０６）。
【００２９】
外部アンテナ１０２の受信レベルが内部アンテナ１０１の受信レベル以下の場合（ステップＳＴ２０６：ｎｏ）には、制御部１０９は、スイッチ１０４の端子１０４ａと端子１０４ｄとを接続するように切り替える制御を行い（ステップＳＴ２０４）、その後処理を終了する。
【００３０】
これにより、内部アンテナ１０１で受信されたＶＨＦ帯の信号は、内部アンテナ１０１、端子１０４ａ、端子１０４ｄ、端子１０６ａ、端子１０６ｃ、ＶＨＦ用チューナ１０８の順番（第２の経路）でＶＨＦ用チューナ１０８に入力する。即ち、内部アンテナ１０１で受信されたＶＨＦ帯の信号は、分配器１０５を経由せずにＶＨＦ用チューナ１０８に入力する。
【００３１】
一方、外部アンテナ１０２の受信レベルが内部アンテナ１０１の受信レベルよりも大きい場合（ステップＳＴ２０６：ｙｓｅ）には、制御部１０９は、スイッチ１０４の端子１０４ｃと端子１０４ｄとを接続するように切り替える制御を行い（ステップＳＴ２０７）、その後処理を終了する。
【００３２】
これにより、外部アンテナ１０２で受信されたＶＨＦ帯の信号は、外部アンテナ１０２、コネクタ１０３、端子１０４ｃ、端子１０４ｄ、端子１０６ａ、端子１０６ｃ、ＶＨＦ用チューナ１０８の順番（第２の経路）でＶＨＦ用チューナ１０８に入力する。即ち、外部アンテナ１０２で受信されたＶＨＦ帯の信号は、分配器１０５を経由せずにＶＨＦ用チューナ１０８に入力する。
【００３３】
また、ステップＳＴ２０１において、ＵＨＦ帯の動作を行うものと判定した場合（ステップＳＴ２０１：ｎｏ）には、制御部１０９は、スイッチ１０６の端子１０６ａと端子１０６ｂとを接続するように切り替える制御を行う（ステップＳＴ２０８）。
【００３４】
次に、制御部１０９は、外部アンテナ１０２が接続された検出結果がコネクタ１０３から入力したか否かを判定する（ステップＳＴ２０９）。
【００３５】
外部アンテナ１０２が接続された検出結果がコネクタ１０３から入力しない場合（ステップＳＴ２０９：ｎｏ）には、制御部１０９は、スイッチ１０４の端子１０４ａと端子１０４ｄとを接続するように切り替える制御を行う（ステップＳＴ２１０）。
【００３６】
一方、外部アンテナ１０２が接続された検出結果がコネクタ１０３から入力した場合（ステップＳＴ２０９：ｙｅｓ）には、制御部１０９は、内部アンテナ１０１で受信したＵＨＦ帯の信号の受信レベルの検出結果、及び外部アンテナ１０２で受信したＵＨＦ帯の信号の受信レベルの検出結果をＵＨＦ用チューナ１０７から取得して、取得した検出結果を比較する（ステップＳＴ２１１）。
【００３７】
次に、制御部１０９は、比較の結果、外部アンテナ１０２の受信レベルが内部アンテナ１０１の受信レベルよりも大きいか否かを判定する（ステップＳＴ２１２）。
【００３８】
外部アンテナ１０２の受信レベルが内部アンテナ１０１の受信レベル以下の場合（ステップＳＴ２１２：ｎｏ）には、制御部１０９は、スイッチ１０４の端子１０４ａと端子１０４ｄとを接続するように切り替える制御を行い（ステップＳＴ２１０）、その後処理を終了する。
【００３９】
これにより、内部アンテナ１０１で受信されたＵＨＦ帯の信号は、内部アンテナ１０１、端子１０４ａ、端子１０４ｄ、端子１０６ａ、端子１０６ｃ、ＵＨＦ用チューナ１０７の順番（第２の経路）でＵＨＦ用チューナ１０７に入力する。即ち、内部アンテナ１０１で受信されたＵＨＦ帯の信号は、分配器１０５を経由せずにＵＨＦ用チューナ１０７に入力する。
【００４０】
一方、外部アンテナ１０２の受信レベルが内部アンテナ１０１の受信レベルよりも大きい場合（ステップＳＴ２１２：ｙｅｓ）には、制御部１０９は、スイッチ１０４の端子１０４ｃと端子１０４ｄとを接続するように切り替える制御を行い（ステップＳＴ２１３）、その後処理を終了する。
【００４１】
これにより、外部アンテナ１０２で受信されたＵＨＦ帯の信号は、外部アンテナ１０２、コネクタ１０３、端子１０４ｃ、端子１０４ｄ、端子１０６ａ、端子１０６ｃ、ＵＨＦ用チューナ１０７の順番（第２の経路）でＵＨＦ用チューナ１０７に入力する。即ち、外部アンテナ１０２で受信されたＵＨＦ帯の信号は、分配器１０５を経由せずにＵＨＦ用チューナ１０７に入力する。
【００４２】
＜通信端末装置の動作２：ＵＨＦ帯とＶＨＦ帯との双方を同時に受信＞
図３は、通信端末装置１００の動作２を示すフロー図である。図３は、通信端末装置１００が、ＵＨＦ帯とＶＨＦ帯との双方を同時に受信する際の動作を示すものである。
【００４３】
まず、制御部１０９は、外部アンテナ１０２が接続された検出結果がコネクタ１０３から入力したか否かを判定する（ステップＳＴ３０１）。
【００４４】
外部アンテナ１０２が接続された検出結果がコネクタ１０３から入力しない場合（ステップＳＴ３０１：ｎｏ）には、制御部１０９は、スイッチ１０４の端子１０４ａと端子１０４ｂとを接続するように切り替える制御を行う（ステップＳＴ３０２）。
【００４５】
これにより、内部アンテナ１０１で受信されたＵＨＦ帯の信号及びＶＨＦ帯の信号は、内部アンテナ１０１、端子１０４ａ、端子１０４ｂ、分配器１０５、ＵＨＦ用チューナ１０７及びＶＨＦチューナ１０８の順番でＵＨＦ用チューナ１０７及びＶＨＦチューナ１０８に入力する。この際、内部アンテナ１０１で受信された信号は、分配器１０５で２系統に分配され、分配された一方がＵＨＦ用チューナ１０７に入力するとともに、分配された他方がＶＨＦ用チューナ１０８に入力する。
【００４６】
一方、外部アンテナ１０２が接続された検出結果がコネクタ１０３から入力した場合（ステップＳＴ３０１：ｙｅｓ）には、制御部１０９は、スイッチ１０４及びスイッチ１０６のスイッチパターン（ｉ）をｉ＝１に設定する（ステップＳＴ３０３）。なお、スイッチパターンについては後述する。
【００４７】
また、制御部１０９は、スイッチ１０４及びスイッチ１０６をスイッチパターン（１）に設定する制御を行う（ステップＳＴ３０４）。
【００４８】
次に、ＵＨＦ用チューナ１０７は、ＵＨＦ帯の信号の受信レベルを測定し、ＶＨＦ用チューナ１０８は、ＶＨＦ帯の信号の受信レベルを測定する（ステップＳＴ３０５）。そして、制御部１０９は、ＵＨＦ用チューナ１０７及びＶＨＦ用チューナ１０８より検出結果を取得して記憶する。
【００４９】
また、制御部１０９は、ｉ＝４であるか否かを判定する（ステップＳＴ３０６）。
【００５０】
ｉ＝４ではない場合（ステップＳＴ３０６：ｎｏ）には、ｉの値に１を加算して（ｉ＝ｉ＋１）（ステップＳＴ３０７）、処理をステップＳＴ３０４に戻す。制御部１０９は、ｉ＝４になるまで、ステップＳＴ３０４〜ステップＳＴ３０７の処理を繰り返す。
【００５１】
そして、ｉ＝４になった場合（ステップＳＴ３０６：ｙｅｓ）には、制御部１０９は、記憶している各スイッチパターンにおけるＵＨＦ帯の受信レベル及びＶＨＦ帯の受信レベルを比較する。制御部１０９は、比較の結果、ＵＨＦ帯の信号及びＶＨＦ帯の信号との双方の信号の受信レベルが最もよくなるスイッチパターンに切り替えることを決定する（ステップＳＴ３０８）。
【００５２】
次に、制御部１０９は、決定したスイッチパターンに切り替える制御を行い（ステップＳＴ３０９）、その後処理を終了する。
【００５３】
図４は、スイッチパターンを示す図である。図４は、ステップＳＴ３０４において設定するスイッチ１０４の４種類のスイッチパターンを示すものである。
【００５４】
図４より、スイッチパターン１（ｉ＝１）では、端子１０４ｂと端子１０４ｃとを接続する。これにより、外部アンテナ１０２で受信されたＵＨＦ帯の信号及びＶＨＦ帯の信号は、分配器１０５を経由（第１の経路を経由）してＵＨＦ用チューナ１０７及びＶＨＦ用チューナ１０８に入力する。
【００５５】
スイッチパターン２（ｉ＝２）では、端子１０４ａと端子１０４ｂとを接続するとともに端子１０４ｃと端子１０４ｄとを接続する。これにより、内部アンテナ１０１で受信されたＵＨＦ帯の信号またはＶＨＦ帯の信号は、分配器１０５を経由（第１の経路を経由）してＵＨＦ用チューナ１０７及びＶＨＦ用チューナ１０８に入力する。また、外部アンテナ１０２で受信されたＵＨＦ帯の信号またはＶＨＦ帯の信号は、分配器１０５を経由せずに（第２の経路で）ＵＨＦ用チューナ１０７及びＶＨＦ用チューナ１０８に入力する。この場合には、制御部１０９は、ＵＨＦ帯の信号レベル及びＶＨＦ帯の信号レベルを測定するために、ＵＨＦ帯の信号レベルを測定する場合は、外部アンテナ１０２で受信されたＵＨＦ帯の信号がＵＨＦ用チューナ１０７に入力し、ＶＨＦ帯の信号レベルを測定する場合は、外部アンテナ１０２で受信されたＶＨＦ帯の信号がＶＨＦ用チューナ１０８に入力するように、スイッチ１０６の切り替えを制御する。
【００５６】
スイッチパターン３（ｉ＝３）では、端子１０４ａと端子１０４ｄとを接続するとともに端子１０４ｃと端子１０４ｂとを接続する。これにより、外部アンテナ１０２で受信されたＵＨＦ帯の信号またはＶＨＦ帯の信号は、分配器１０５を経由（第１の経路を経由）してＵＨＦ用チューナ１０７及びＶＨＦ用チューナ１０８に入力する。また、内部アンテナ１０１で受信されたＵＨＦ帯の信号またはＶＨＦ帯の信号は、分配器１０５を経由せずに（第２の経路で）ＵＨＦ用チューナ１０７及びＶＨＦ用チューナ１０８に入力する。この場合には、制御部１０９は、ＵＨＦ帯の信号レベル及びＶＨＦ帯の信号レベルを測定するために、ＵＨＦ帯の信号レベルを測定する場合は、内部アンテナ１０１で受信されたＵＨＦ帯の信号がＵＨＦ用チューナ１０７に入力し、ＶＨＦ帯の信号レベルを測定する場合は、内部アンテナ１０１で受信されたＶＨＦ帯の信号がＶＨＦ用チューナ１０８に入力するように、スイッチ１０６の切り替えを制御する。
【００５７】
スイッチパターン４（ｉ＝４）では、端子１０４ｃと端子１０４ｂとを接続する。これにより、内部アンテナ１０１で受信されたＵＨＦ帯の信号及びＶＨＦ帯の信号は、分配器１０５を経由（第１の経路を経由）してＵＨＦ用チューナ１０７及びＶＨＦ用チューナ１０８に入力する。
【００５８】
＜制御部１０９における切り替え制御＞
図５は、上記で説明した動作１及び動作２におけるアンテナ直下のスイッチ１０４の状態を示す図である。図６は、上記で説明した動作１及び動作２におけるＵＨＦチューナ１０７及びＶＨＦチューナ１０８への入力を切り替えるスイッチ１０６の状態を示す図である。
【００５９】
図５において、状態１及び状態２は、上記の動作１で説明したＵＨＦ帯とＶＨＦ帯との何れか一方のみを受信する単独動作における状態を示す。また、状態３〜状態６は、上記の動作２で説明したＵＨＦ帯とＶＨＦ帯との双方を同時に受信する同時動作における状態を示す。
【００６０】
図６において、状態Ａ及び状態Ｂは、上記の動作１の単独動作と動作２の同時動作との双方における状態を示す。
【００６１】
即ち、動作１の単独動作の際には、制御部１０９は、状態１及び状態２と状態Ａ及び状態Ｂとの組み合わせのうち、何れか１つを選択する。また、動作２の同時動作の際には、制御部１０９は、状態３〜状態６と状態Ａ及び状態Ｂとの組み合わせのうち、何れか１つを選択する。
【００６２】
＜本実施の形態の効果＞
本実施の形態によれば、外部アンテナを設けるとともに、必要に応じて受信信号が分配器または分波器を通過しないように切り替え制御することにより、受信信号の減衰を防ぐことができる。
【００６３】
また、本実施の形態によれば、ＶＨＦ帯とＵＨＦ帯との何れか一方のみを受信する際には常に分配器を経由しないようにするので、分配器を経由することに伴う受信信号の減衰を確実に防ぐことができる。
【００６４】
また、本実施の形態によれば、ＶＨＦ帯とＵＨＦ帯との何れか一方のみを受信する際には外部アンテナと内部アンテナとで受信した信号のうち受信レベルの大きい方を選択するので、良好な受信品質を得ることができる。
【００６５】
また、本実施の形態によれば、ＶＨＦ帯とＵＨＦ帯との双方を同時に受信する際には各帯域の受信レベルに基づいてスイッチの切り替えを行うので、ＶＨＦ帯とＵＨＦ帯との双方において良好な受信品質を得ることができる。
【００６６】
＜本実施の形態の変形例＞
本実施の形態において、分配器により受信信号を分配したが、本発明はこれに限らず、分波器により受信信号を分波してもよい。
【００６７】
また、本実施の形態において、外部アンテナはＶＨＦ帯の信号とＵＨＦ帯の信号との両方を受信できるアンテナにしたが、本発明はこれに限らず、ＶＨＦ帯の信号の受信専用のアンテナまたはＵＨＦ帯の信号の受信専用のアンテナにしてもよい。
【００６８】
また、本実施の形態において、受信レベルの検出結果に基づいてスイッチの切り替えを制御したが、本発明はこれに限らず、受信レベルに関わりなく、あらかじめ決めておいた切り替えのパターンに従って切り替えを制御してもよい。
【００６９】
また、本実施の形態において、ＵＨＦ帯の信号とＶＨＦ帯の信号とを受信したが、本発明はこれに限らず、ＵＨＦ帯及びＶＨＦ帯以外の任意の複数の帯域の信号を受信することができる。
【産業上の利用可能性】
【００７０】
本発明は、複数の異なる周波数の信号を受信可能な通信端末装置及び受信方法に好適である。
【符号の説明】
【００７１】
１００  通信端末装置
１０１  内部アンテナ
１０２  外部アンテナ
１０３  コネクタ
１０４、１０６  スイッチ
１０５  分配器
１０７  ＵＨＦ用チューナ
１０８  ＶＨＦ用チューナ
１０９  制御部
１０４ａ、１０４ｂ、１０４ｃ、１０４ｄ、１０６ａ、１０６ｂ、１０６ｃ  端子
【図１】
2013078029.tif 000003
【図２】
2013078029.tif 000004
【図３】
2013078029.tif 000005
【図４】
2013078029.tif 000006
【図５】
2013078029.tif 000007
【図６】
2013078029.tif 000008